(57)【要約】【課題】  タービンへのスケール付着や復水器の真空度低下等による抽気蒸気量の変動にも適切に対応できる蒸気タービン発電機の抽気制御方法の提案。【解決手段】  蒸気タービンの抽気出口に蒸気流量計と、抽気ラインに自動制御方式の大気放出弁を備えた蒸気タービン発電機において、発電機出力と抽気蒸気量の関係から求めた近似式を直接プログラムせず、発電機出力と抽気蒸気量をパラメータとして入力し、近似した各頂点及び傾きを変更できるようにする。【選択図】  図２
2019049234.tif 000002
【特許請求の範囲】
【請求項１】
蒸気タービンの中間段より蒸気を抽気し工場へ送気されるように構成され、かつ蒸気タービンの抽気出口に蒸気流量計と、抽気ラインに自動制御方式の大気放出弁を備え、発電機出力に応じた抽気蒸気量の設定値を求めて前記大気放出弁を制御するための演算制御装置を有する蒸気タービン発電機の抽気制御方法であって、
蒸気タービンの特性から導く抽気蒸気量にて前記大気放出弁を自動制御する際に、発電機出力と抽気蒸気量の関係を、変更できる折れ線の各頂点及び傾きをパラメータとして設定し、前記パラメータの特性に基づいて発電機出力に応じた抽気蒸気量の設定値を演算して求め、この設定値と、設定工場蒸気使用量に基づいて前記大気放出弁により、余剰蒸気を独立して制御することを特徴とする蒸気タービン発電機の抽気制御方法。
【請求項２】
蒸気タービンの特性に合わせて前記変更できる折れ線の各頂点となる発電機出力と抽気蒸気量の組み合わせをパラメータとして複数点設定することを特徴とする請求項１に記載の蒸気タービン発電機の抽気制御方法。
【請求項３】
蒸気タービンの中間段に設けられた抽気出口より蒸気を抽気し工場へ送気する抽気ライン（蒸気送気配管）と、
前記抽気ラインに設置された蒸気流量計と、
前記抽気ラインの前記蒸気流量計より工場側の前記抽気ラインから分岐して設けられ、抽気した蒸気を大気に排出する自動制御方式の制御器付き大気放出弁とを備える機器部と、
前記蒸気タービンの発電機から送られる発電機出力と、前記工場へ送られる工場の蒸気使用量を入力する入力部と、
予め求めた、蒸気タービンの特性に合わせて変更できる折れ線の各頂点となる「発電機出力と抽気蒸気量の組み合わせによる頂点座標」及び「隣接頂点間の傾き」をパラメータとして格納したデータベース領域と、
前記パラメータから前記発電機出力に応じて求めた抽気蒸気量の設定値と、前記工場の蒸気使用量に基づいた前記大気放出弁を制御するための命令信号を発生させ、前記命令信号を出力する演算ユニットと、
前記演算ユニットから出力された命令信号を、前記大気放出弁の制御器へと出力する出力部と、
前記発電機出力と、前記工場の蒸気使用量と、前記設定値と、前記命令信号を、同期して格納する操業データ領域とを含む演算・制御装置を有することを特徴とする蒸気タービン発電機の抽気制御装置。
【発明の詳細な説明】
【技術分野】
【０００１】
本発明は、タービンの中間段より蒸気を抽気し工場へ送気する蒸気タービン発電機の抽気制御方法に係り、より詳しくはタービンの特性から導く発電機出力の維持に必要な抽気蒸気量にて大気放出弁を自動制御する方式において、発電機負荷や抽気蒸気の変動に適切に対応できるのみならず、タービンへのスケール付着や復水器の真空度低下等による抽気蒸気量の変動にも適切に対応するための、蒸気タービン発電機の抽気制御方法及びその制御装置に関する。
【背景技術】
【０００２】
タービンの中間段より蒸気を抽気し工場へ送気する蒸気タービン発電機として、タービンのケーシング内部に圧力制御弁を設けて、この圧力制御弁より上流側の圧力制御を行い、抽気圧力を一定に保つことで、タービンの低負荷から定格まで安定した圧力の送気が可能な内部抽気圧力制御型タービン発電機が知られている。この内部抽気圧力制御型タービン発電機は、図５にそのシステム構成例を示すように、過熱蒸気生成用のボイラ（図示せず）から導入される蒸気の熱エネルギーを駆動エネルギーに変換する抽気タービン型の蒸気タービン２１、蒸気導入口２２−１より導入される蒸気の流量を調節する蒸気加減弁２２、抽気減弁２３、抽気圧力計２４、回転計２５、調速機２６、復水器２７、大気放出弁２８から構成されている。蒸気タービン２１は高圧段２１−１と低圧段２１−２を有し、蒸気タービン２１の高圧段２１−１に流入した蒸気は、抽気減弁２３の前で抽気され、抽気減弁２３により低圧段２１−２に入る蒸気の流入が制御され、抽気ライン２９から蒸気が工場へ送気される構成となしている。
【０００３】
この内部抽気圧力制御型タービン発電機における抽気タービン型の蒸気タービン２１の制御には、回転計２５にて測定される回転速度と抽気圧力計２４にて測定される抽気圧力が必要であり、蒸気タービン２１の負荷や抽気の必要量が変われば、蒸気加減弁２２や抽気減弁２３の限度が制御される必要がある。このため内部抽気圧力制御型タービン発電機には、該蒸気タービン２１の回転速度、発電機出力及び抽気を維持するために、蒸気加減弁２２、抽気減弁２３の両方のバルブを自動制御する機構を備えている。
【０００４】
上記大気放出弁２８としては、手動弁又は自動制御方式の調節弁が使用されている。大気放出弁２８に手動弁を使用している場合、発電機負荷及び入口蒸気流量を目安に、予め余裕を持った弁開度に調節している。一方、自動制御方式の調節弁を使用する方式としては、抽気ラインに大気放出用の調節弁を設置し、抽気圧力が設定圧力以上になった場合に、抽気圧力にて調節弁の開度を自動制御する方式が特許文献１、特許文献２に開示されている。特許文献１に開示されている方法は、速度又は負荷制御装置と抽気制御装置とで構成される蒸気タービンの制御装置において、抽気調圧弁が全開又は最低開度となった場合、もしくは調節弁が全開となった場合は、速度又は負荷を制御から除外し、抽気制御を優先して行う制御方法である。又、特許文献２に開示されている方法は、抽気蒸気経路に余剰蒸気を復水器側に放出するタービンバイパス回路と、発電機負荷に対応させて蒸気タービンに導入するボイラ蒸気を制御する負荷制御装置を備えたボイラタービン発電機において、抽気蒸気経路より余剰蒸気を復水器側に放出するタービンバイパス回路により常時復水器へ放出させておき、該バイパス回路のバイパス量を制御するバイパス装置の入力信号を抽気蒸気経路より取込んで、負荷変動に対応するバイパス蒸気量の制御を、負荷制御装置よりも優先させて行う方法である。
【０００５】
しかしながら、前記した従来の蒸気タービン発電機の抽気制御技術には、以下に示す問題点があった。
タービンの中間段より蒸気を抽気し工場へ送気する蒸気タービン発電機において、発電機負荷及び抽気蒸気の工場使用量の変動に対応するために設けられている大気放出弁に手動弁を使用している場合、発電機負荷及び入口蒸気流量を目安に、予め余裕を持った開度に調節するために、過剰な蒸気の大気放出が発生すること、又、手動弁のために、発電機負荷や抽気蒸気の工場使用量の予期せぬ急激な変動には対応できないおそれがあった。
一方、大気放出弁を前記特許文献１、２に開示されている、自動制御方式の調節弁に置き換え、該調節弁を抽気圧力で制御する方法では、大気放出弁の開閉で抽気圧力が変動するため、同じく抽気圧力で制御されている蒸気加減弁や抽気減弁等の制御に影響が出てこれらの制御を安定して行うことができないという問題があった。
【０００６】
この従来技術の問題点を解決するため、従来、発電機負荷に応じた適切な抽気蒸気量に基づいて、大気放出弁を独立して自動制御することにより、大気放出される過剰な抽気蒸気を削減し、発電機負荷及び抽気蒸気の工場使用量の予期せぬ急激な変動に対しても安定した発電機出力を維持することが可能な蒸気タービン発電機の抽気制御方法がある。
その蒸気タービン発電機の抽気制御方法は、蒸気タービンの中間段より蒸気を抽気し工場へ送気されるように構成され、かつ蒸気タービンの抽気出口に蒸気流量計と、抽気ラインに自動制御方式の大気放出弁を備えた蒸気タービン発電機において、蒸気タービン発電機の有する発電機出力に対する入口蒸気流量と抽気蒸気量の特性に基づいて発電機負荷に応じた抽気蒸気量の設定値を演算して求め、この設定値に基づいて前記大気放出弁により、余剰蒸気を独立して制御する方法であり、又、前記蒸気タービン発電機の抽気制御方法において、図６に示す前記発電機出力と抽気蒸気量の設定値の関係より、抽気が不要な領域（Ａ領域）、既存の抽気制御が安定しない領域（Ｂ領域）、タービン出力に応じて抽気蒸気量を増加させる必要がある領域（Ｃ領域）を設定し、抽気が不要な領域（Ａ領域）では、抽気蒸気量を０Ｔ／Ｈｒに設定し、既存の抽気制御が安定しない領域（Ｂ領域）では、排気量を一定とし、タービン出力に応じて抽気蒸気量を増加させる必要がある領域（Ｃ領域）では、抽気蒸気量が発電機負荷に比例するよう設定する方法である。
【０００７】
図７は上記の内部抽気圧力制御型タービン発電機における、発電機出力と入口蒸気流量、抽気蒸気量の関係を例示したもので、「Ａ領域」は入口蒸気流量を増やせば、抽気蒸気量０Ｔ／Ｈｒでも発電機出力を出すことができる領域である。ただし、復水器の能力以上に入口蒸気流量を増やせば抽気が必要となる。発電機出力がＡ領域を超える場合は復水器の能力を超えるため、抽気しなければ必要な発電機出力を出すことができない。そのため、Ａ領域からＢ領域に移る際には、急激に抽気を実施することが必要になり、抽気蒸気量のラインは不連続となる。
【０００８】
即ち、工場が完全停止し蒸気による加熱・保温等を必要としない場合は、抽気が不要なＡ領域で運転し、工場稼働時は抽気蒸気を加熱・保温等のための蒸気として使用しているため、Ｂ領域以上で運転する。工場の電力負荷が高い場合はＣ領域で運転する。又、工場の蒸気使用量＜抽気蒸気量となったときは余剰分を大気放出する。発電機出力がＡ領域を超えて運転する時には、発電機出力を維持するために一定量以上の入口蒸気流量が必要となる。
ここで、「Ｂ領域」は発電機出力に応じて、入口蒸気流量は増加するが、抽気蒸気量は、一定量が送気される領域で、既存の抽気制御が安定しない領域でもある。また、「Ｃ領域」は、発電機出力に応じて、入口蒸気流量は増加し、抽気蒸気量も合わせて増加する領域で、発電機出力に応じて抽気蒸気量を増加させる必要がある領域でもある。図中の点線ラインと実線の差異が抽気蒸気量を示している。
【０００９】
発電機出力を増加させることを考えた場合、Ａ領域では入口蒸気流量を増やしても抽気蒸気量０Ｔ／Ｈｒで発電可能である。Ｂ、Ｃ領域以上に出力を上げるためには、復水器の能力を超えてしまうため、抽気蒸気量を増やす必要がある。なお、Ａ領域の左端が当該発電機の最小能力、Ｃ領域の右端が当該発電機の最大能力をそれぞれ示している。
【００１０】
このため、この発電機出力の維持に必要な抽気蒸気量が工場使用量を上回るときに余剰蒸気を大気放出する大気放出弁を設けているのである。そして、Ｂ領域、Ｃ領域では、工場の電力使用量の変動に伴う発電機出力の変動及び、工場使用量の変動に伴う工場送気・抽気蒸気量の変動時には、この大気放出弁を開閉することで、発電機出力の維持に必要な抽気蒸気量を維持している。
【００１１】
この蒸気タービン発電機の抽気制御方法によれば、発電機負荷に応じた適切な抽気蒸気量に基づいて、抽気ラインに設置した自動制御方式の大気放出弁を独立して自動制御することができるので、大気放出される過剰な抽気蒸気を削減できるとともに、発電機負荷及び抽気蒸気の工場使用量の予期せぬ急激な変動に対しても安定した発電機出力を維持することができ、さらに抽気ラインに設置した蒸気流量計及び自動制御方式の大気放出弁を既存のタービン発電機制御装置に変更を加えることなく容易に追加設置することができるので設備コストが高くつくこともないという優れた効果を奏する。
【００１２】
しかしながら、この蒸気タービン発電機の抽気制御方法には、次に記載する課題がある。
即ち、蒸気タービンの中間段より蒸気を抽気し工場へ送気するタービン発電機において、発電機出力に対する抽気蒸気量はタービンの特性により決まるため、発電機出力と抽気蒸気量の関係から求めた近似式を使用し大気放出弁を自動制御することができるが、タービンに供給される蒸気には、シリカや塩化物イオン等の不純物やガスが含まれており、タービンへのスケール付着や復水器の真空度低下等により復水器の能力低下をきたし、排気側への抜けが悪くなるとタービンの発電機出力を維持するためには抽気蒸気量の増加が必要となる。そのような状況において、前記近似式にて大気放出弁を自動制御し運転を継続した場合、演算結果から得られる抽気蒸気量の設定値が実際の抽気蒸気量を下回ることで大気放出量が不足し抽気蒸気圧力が上昇、抽気蒸気量が不足し発電機出力を維持できなくなる可能性がある。それを防ぐためには、プログラムされた演算式を見直し、大気放出弁の自動制御を停止し書き換える必要がある。又、複数のタービンを保有する工場においては、それぞれのタービンの特性に合わせ近似式を導き出し、タービン毎に異なる演算式をプログラムする必要がある。
【先行技術文献】
【特許文献】
【００１３】
【特許文献１】特開平０７−１６６８０８号公報
【特許文献２】特開平１１−３４３８１４号公報
【発明の概要】
【発明が解決しようとする課題】
【００１４】
本発明は、前記した従来技術の課題を解決するためになされたもので、発電機出力と抽気蒸気量の関係から求めた近似式を直接プログラムせず、発電機出力と抽気蒸気量をパラメータとして入力し、近似した折れ線の起点及び傾きを変更できるようにすることにより、タービンへのスケール付着や復水器の真空度低下等による抽気蒸気量の変動にも適切に対応できる蒸気タービン発電機の抽気制御方法およびその制御装置を提案しようとするものである。
【課題を解決するための手段】
【００１５】
本発明に係る蒸気タービン発電機の抽気制御方法は、蒸気タービンの中間段より蒸気を抽気し工場へ送気されるように構成され、かつ蒸気タービンの抽気出口に蒸気流量計と、抽気ラインに自動制御方式の大気放出弁を備え、発電機出力に応じた抽気蒸気量の設定値を求めて前記大気放出弁を制御するための演算・制御装置を有する蒸気タービン発電機の抽気制御方法であって、蒸気タービンの特性から導く抽気蒸気量にて前記大気放出弁を自動制御する際に、発電機出力と抽気蒸気量の関係を、変更できる折れ線の各頂点及び傾きをパラメータとして設定し、前記パラメータの特性に基づいて発電機出力に応じた抽気蒸気量の設定値を演算して求め、この設定値と、設定工場蒸気使用量に基づいて前記大気放出弁により、余剰蒸気を独立して制御することを特徴とするものである。
この本発明の抽気制御方法は、蒸気タービンの特性に合わせて前記変更できる折れ線の各頂点となる発電機出力と抽気蒸気量の組み合わせをパラメータとして複数点設定することを好ましい態様とするものである。
又、本発明に係る蒸気タービン発電機の抽気制御装置は、蒸気タービンの中間段に設けられた抽気出口より蒸気を抽気し工場へ送気する抽気ラインと、その抽気ラインに設置された蒸気流量計と、抽気ラインの前記蒸気流量計より工場側の前記抽気ラインから分岐して設けられ、抽気した蒸気を大気に排出する自動制御方式の制御器付き大気放出弁とを備える機器装置と、蒸気タービン発電機から送られる発電機出力と、工場から送られる工場の蒸気使用量を入力する入力部と、予め求めた、蒸気タービンの特性に合わせて変更できる折れ線の各頂点となる「発電機出力と抽気蒸気量の組み合わせによる頂点座標」及び「隣接頂点間の傾き」をパラメータとして格納したデータベース領域と、それらのパラメータから発電機出力に応じて求めた抽気蒸気量の設定値と、工場の蒸気使用量に基づいた大気放出弁を制御するための命令信号を発生させ、その命令信号を出力する演算ユニットと、その演算ユニットから出力された命令信号を、大気放出弁の制御器へと出力する出力部と、発電機出力と、工場の蒸気使用量と、設定値と、命令信号を、同期して格納する操業データ領域とを含む演算・制御装置を有することを特徴とする蒸気タービン発電機の抽気制御装置である。
【発明の効果】
【００１６】
本発明の蒸気タービン発電機の抽気制御方法及びその制御装置によれば、発電機出力と抽気蒸気量の関係から求めた近似式を直接プログラムせず、発電機出力と抽気蒸気量をパラメータとして入力し、近似した各頂点及び傾きを変更できるようにすることで、タービンへのスケール付着や復水器の真空度低下等による復水器の能力低下により、抽気蒸気量の増加が生じた場合においても、プログラムされた演算式を見直し、大気放出弁の自動制御を停止し書き換えることなく、大気放出弁の制御特性を変更し、大気放出量の不足による抽気蒸気圧力の上昇や、抽気蒸気量不足を補正し安定した発電機出力を維持することができる。
【００１７】
又、複数の蒸気タービンを保有する工場においても、それぞれのタービンの特性に合わせ、近似式を導き出し、タービン毎に異なる演算式をプログラムすることなく、同一の演算式を使用しパラメータの変更のみで対応することができる。
【図面の簡単な説明】
【００１８】
【図１】本発明の蒸気タービン発電機の抽気制御方法を実施するためのシステム構成例を示す概略図である。
【図２】同じく図１に示すシステム構成例における本発明の蒸気タービン発電機の抽気制御方法を示すフローチャートである。
【図３】同じく図１に示すシステム構成例における本発明の発電機出力に対する抽気蒸気量の設定例を示す説明図である。
【図４】本発明の蒸気タービン発電機の抽気制御装置の構成例を示す概略図である。
【図５】従来の内部抽気圧力制御型タービン発電機のシステム構成例を示す概略図である。
【図６】従来の発電機出力と抽気蒸気量の設定例を示す説明図である。
【図７】従来の発電機出力と入口蒸気流量と抽気蒸気量の関係を示す図である。
【発明を実施するための形態】
【００１９】
図１に示す本発明の蒸気タービン発電機の抽気制御方法を実施するためのシステム構成は、過熱蒸気生成用のボイラ（図示せず）から導入される蒸気の熱エネルギーを駆動エネルギーに変換する抽気タービン型の蒸気タービン１、蒸気導入口２−１より導入される蒸気の流量を調節する蒸気加減弁２、抽気減弁３、抽気圧力計４、回転計５、調速機６、復水器７、抽気ライン８、蒸気タービン１の抽気出口に設置した蒸気流量計９、演算・制御装置１０、自動制御方式の制御器付大気放出弁（調節弁）１２により構成されている。本発明のシステム構成においても、蒸気タービン１は高圧段１−１と低圧段１−２を有し、高圧段１−１に流入した蒸気は、抽気減弁３の前、即ちタービン１の中間段で抽気され、抽気減弁３により低圧段１−２に入る蒸気の流入が制御され、タービン１の中間段に設けられた抽気ライン８から蒸気が工場へ送気される構成となしているが、かかるシステム構成例において、蒸気流量計９、演算・制御装置１０、自動制御方式の制御器付大気放出弁１２以外の構成は、図５に示す従来技術と同様である。又、本発明のシステム構成における蒸気流量計９及び制御器付き大気放出弁１２は十分な蒸気を流すことができるものを使用する。又、タービン抽気出口の蒸気流量の計測には、タービン入口の蒸気流量とタービン排気を処理した復水器７の出口の水流量の差を用いることもできる。
【００２０】
この蒸気タービン発電機のシステム構成例は、蒸気タービン１の抽気出口に設置された抽気蒸気量を計測するための蒸気流量計９の指示に対し、抽気蒸気量を設定することにより、大気放出弁１２の開度を調節するシステムとなっている。抽気蒸気を工場へ送気する場合は、抽気蒸気の設定工場使用量と大気放出量の和が抽気蒸気量となる。そのため、抽気蒸気の設定工場使用量が抽気蒸気量より上回る場合は、大気放出弁１２の開度を閉じる。又、設定工場使用量が抽気蒸気量を下回る場合は、大気放出弁１２の開度を開き余剰蒸気を大気放出することで、抽気蒸気量を維持するように自動制御される仕組みとなっている。
【００２１】
この蒸気タービン発電機のシステム構成例において、蒸気タービン１の中間段より蒸気を抽気し工場へ送気するタービン発電機で、大気放出弁１２を蒸気タービン１の特性から導く抽気蒸気量にて自動制御する場合において、蒸気タービン１へのスケール付着や復水器７の真空度低下等により、抽気蒸気量が増加した場合、大気放出弁１２の制御特性を変更する必要がある。本発明はそれらの変動に対応するために、以下に記載する手段をとるのである。
即ち、発電機出力と抽気蒸気量の関係から求めた近似式を直接プログラムせず、発電機出力と抽気蒸気量をパラメータとして入力し、近似した折れ線の各頂点及び傾きを変更する。具体的には、例えば図３に示すように、蒸気タービン１の特性に合わせ折れ線の各頂点となる発電機出力と抽気蒸気量の組み合わせをパラメータとしてＰ１からＰ１０までの１０点を設定する。実際の発電機出力とＰ１からＰ１０に設定された発電機出力を該当する区間が見つかるまで順次比較し、対応する区間が見つかると２点間をつなぐ線分との交点となる値を抽気蒸気量として演算し、その結果を、大気放出弁１２を制御する抽気蒸気量制御の設定値に出力する。例えば、実際の発電機出力がＰ７とＰ８間にあるとき、Ｐ７を始点、Ｐ８を終点とする線分との交点となる値Ａを抽気蒸気量として抽気蒸気量制御の設定値に出力し、この設定値と設定工場蒸気使用量に基づいて前記大気放出弁１２により、余剰蒸気を独立して制御することができる。
【００２２】
この蒸気タービン発電機の抽気制御方法を図２に示すフローチャートに基づいて説明すると、まず発電機出力と抽気蒸気量の関係からパラメータを設定する。次に、前記パラメータ特性に基づいて、発電機出力に応じた抽気蒸気量の設定値を求め、この設定抽気蒸気量と設定工場蒸気使用量とを比較する。その結果、設定抽気蒸気量が設定工場蒸気使用量より大きい場合は、大気放出弁１２の開度を開き、反対に設定抽気蒸気量が設定工場蒸気使用量より小さい場合は、大気放出弁１２の開度を閉じる。このような演算及び比較が連続的に行われることで、パラメータの変更においても大気放出弁の制御を停止することなく、折れ線の各起点及び傾きといった大気放出弁の制御特性を補正することができる。
【００２３】
図４は、上記で説明してきた本発明に係る蒸気タービン発電機の抽気制御方法を実行するための蒸気タービン発電機の抽気制御装置の例を示す概略図である。
図４において、１００は抽気制御装置（一点鎖線で囲まれた範囲）、１Ａは抽気出口、１０は抽気制御装置の演算・制御装置、１２ａは大気放出弁１２の制御器、１０１は入力部、１０２出力部、１０３は演算ユニット、１０４はデータベース領域、１０５は操業データ領域、ＥＱは抽気制御装置の機器部、Ｓは命令信号、Ｐは発電機出力、Ｕは工場の蒸気使用量、Ｔは抽気蒸気量の設定値である。
【００２４】
本発明に係る抽気制御装置１００は、蒸気タービンの中間段に設けられた抽気出口１Ａより蒸気を抽気し、工場へ送気する抽気ライン（蒸気送気配管）８と、その抽気ライン８に設置された蒸気流量計９と、抽気ライン８に設置された蒸気流量計９より工場側の抽気ライン８から分岐して設けられ、抽気した蒸気を大気に排出する自動制御方式の制御器付き大気放出弁１２とで構成された機器部（ＥＱ）を有し、その制御器付き大気放出弁１２を演算・制御装置（１０）からの命令信号Ｓにより動作させることで、安定した発電機出力を維持するものである。
【００２５】
本発明における演算・制御装置１０は、蒸気タービン発電機から送られる発電機出力と、工場から送られる工場の蒸気使用量を入力する入力部１０１と、予め求めた、蒸気タービンの特性に合わせて変更できる折れ線の各頂点となる「発電機出力と抽気蒸気量の組み合わせによる頂点座標」及び「隣接頂点間の傾き」をパラメータとして格納したデータベース領域１０４と、そのパラメータから発電機出力に応じて求めた抽気蒸気量の設定値Ｔと、入力された工場の蒸気使用量Ｕに基づき、その両者を比較することで大気放出弁１２の開閉動作を制御するための命令信号Ｓを発生させ、その命令信号Ｓを出力する演算ユニット１０３と、その演算ユニット１０３から出力された命令信号Ｓを、大気放出弁１２の制御器１２ａへと出力する出力部１０２と、発電機出力Ｐと、工場の蒸気使用量Ｕと、抽気蒸気量の設定値Ｔと、命令信号Ｓを、同期して格納する操業データ領域１０５とを含む構成となっています。
【００２６】
本発明に係る抽気制御装置１００では、図２のフローチャートで示す本発明に係る蒸気タービン発電機の抽気制御方法に沿って、測定・入力された発電機出力Ｐに基づき、演算・制御装置１０において、データベース領域１０４に格納されているパラメータから抽気蒸気量の設定値Ｔが算出され、その設定値Ｔと、発電機出力Ｐと同期した工場の蒸気使用量Ｕとを比較した結果により、大気放出弁１２の開閉指令の命令信号Ｓを、制御器１２ａに送信し、その開閉指令により大気放出弁１２が動作するものである。
【００２７】
以上説明したように、本発明に係る蒸気タービン発電機の抽気制御方法及びその制御装置は、発電機出力と抽気蒸気量の関係から求めた近似式を直接プログラムせず、発電機出力と抽気蒸気量をパラメータとして入力し、近似した折れ線の起点及び傾きを変更できるようにすることにより、タービンへのスケール付着や復水器の真空度低下等による抽気蒸気量の変動にも適切に対応することができる。
【符号の説明】
【００２８】
１  蒸気タービン
１Ａ  抽気出口
１−１  高圧段
１−２  低圧段
２  蒸気加減弁
２−１  蒸気導入口
３  抽気減弁
４  抽気圧力計
５  回転計
６  調速機
７  復水器
８  抽気ライン
９  蒸気流量計
１０  演算・制御装置
１２  大気放出弁
１２ａ  大気放出弁の制御器
１００  抽気制御装置
１０１  入力部
１０２  出力部
１０３  演算ユニット
１０４  データベース領域
１０５  操業データ領域
ＥＱ  抽気制御装置の機器部
Ｓ  命令信号
Ｐ  発電機出力
Ｕ  工場の蒸気使用量
Ｔ  抽気蒸気量の設定値
【図１】
2019049234.tif 000003
【図２】
2019049234.tif 000004
【図３】
2019049234.tif 000005
【図４】
2019049234.tif 000006
【図５】
2019049234.tif 000007
【図６】
2019049234.tif 000008
【図７】
2019049234.tif 000009